(57)【要約】【課題】  電極取出用の開口部を有する太陽電池モジュールの透光板を効果的に洗浄することが可能な太陽電池モジュール洗浄装置を提供する。【解決手段】  太陽電池モジュール１００における透光板の表面に紫外線を照射して有機物を除去する紫外線照射部３と、太陽電池モジュール１００を搬送する搬送ローラ６と、無端状の拭き取りシート１５と、この拭き取りシート１５を搬送ローラ６により搬送される太陽電池モジュール１００における透光板の表面に押圧する押圧ローラ１２、１３とを備えた拭き取り部１と、拭き取りシート１５が太陽電池モジュール１００の透光板の表面に当接する前に、拭き取りシート１５に洗浄液を供給する洗浄液供給部２とを備える。【選択図】        図３
2013191812.tif 000002
【特許請求の範囲】
【請求項１】
受光面側の透光板と、発電層と、電極取出用の開口部が形成されたバックシートとがこの順に積層された太陽電池モジュールの透光板を洗浄する太陽電池モジュール洗浄装置であって、
前記太陽電池モジュールを搬送する搬送機構と、
前記太陽電池モジュールにおける前記搬送機構による太陽電池モジュールの搬送方向と直交する方向の幅以上の幅を有する長尺の拭き取りシートと、この拭き取りシートを前記搬送機構により搬送される太陽電池モジュールにおける透光板の表面に押圧する押圧ローラとを備えた拭き取り部と、
前記拭き取りシートが前記太陽電池モジュールの透光板の表面に当接する前に、前記拭き取りシートに洗浄液を供給する洗浄液供給部と、
を備えたことを特徴とする太陽電池モジュール洗浄装置。
【請求項２】
請求項１に記載の太陽電池モジュール洗浄装置において、
前記拭き取り部に対して前記搬送機構による太陽電池モジュールの搬送方向の上流側に、前記太陽電池モジュールにおける透光板の表面に紫外線を照射して有機物を除去する紫外線照射部を備える太陽電池モジュール洗浄装置。
【請求項３】
受光面側の透光板と、発電層と、電極取出用の開口部が形成されたバックシートとがこの順に積層された太陽電池モジュールの透光板を洗浄する太陽電池モジュール洗浄装置であって、
前記太陽電池モジュールを搬送する搬送機構と、
前記太陽電池モジュールにおける前記搬送機構による太陽電池モジュールの搬送方向と直交する方向の幅以上の幅を有する長尺の拭き取りシートと、この拭き取りシートを前記搬送機構により搬送される太陽電池モジュールにおける透光板の表面に押圧する押圧ローラとを備えた第１拭き取り部と、
前記第１拭き取り部における拭き取りシートが前記太陽電池モジュールの透光板の表面に当接する前に、前記拭き取りシートに有機物を除去するための薬液を供給する洗浄液供給部と、
前記第１拭き取り部に対して前記搬送機構による太陽電池モジュールの搬送方向の下流側に配設され、前記太陽電池モジュールにおける前記搬送機構による太陽電池モジュールの搬送方向と直交する方向の幅以上の幅を有する長尺の拭き取りシートと、この拭き取りシートを前記搬送機構により搬送される太陽電池モジュールにおける透光板の表面に押圧する押圧ローラとを備えた第２拭き取り部と、
前記第２拭き取り部における拭き取りシートが前記太陽電池モジュールの透光板の表面に当接する前に、前記拭き取りシートに薬液を供給する薬液供給部と、
を備えたことを特徴とする太陽電池モジュール洗浄装置。
【請求項４】
請求項１から請求項３のいずれかに記載の太陽電池モジュール洗浄装置において、
前記拭き取りシートは、無端状である太陽電池モジュール洗浄装置。
【請求項５】
請求項４に記載の太陽電池モジュール洗浄装置において、
前記洗浄液供給部は、前記拭き取りシートに洗浄液を噴出する処理液噴出ノズルと、前記処理液噴出ノズルにより洗浄液を供給された拭き取りシートを絞る絞りローラとを備える太陽電池モジュール洗浄装置。
【発明の詳細な説明】
【技術分野】
【０００１】
この発明は、太陽電池モジュール洗浄装置に関する。
【背景技術】
【０００２】
太陽電池モジュールは、太陽発電パネルとも呼称され、太陽電池（セル）を組み合わせて一枚の板状にしたものであり、太陽光発電システムにおける最小単位として用いられる。この太陽電池モジュールは、受光面側の透光板と、発電層と、電極取出用の開口部が形成されたバックシートとがこの順に積層された構造を有する。
【０００３】
このような太陽電池モジュールに対しては、従来、製品の完成後には、エアブロー等の簡易な洗浄のみが行われていた。しかしながら、近年、完成後の太陽電池モジュールに対して高機能材料を塗布したり、機能性フィルムを貼り付けたりすることから、太陽電池モジュールの透光板をより清浄に洗浄する必要が生じている。
【０００４】
特許文献１には、具体的な構成についての記載はないが、太陽電池パネルの洗浄形態として、物理的な吹き取りによる洗浄、有機溶剤を用いた洗浄、圧力水シャワー洗浄装置による洗浄、超音波洗浄装置による洗浄、ロールブラシによる洗浄等が紹介されている。
【先行技術文献】
【特許文献】
【０００５】
【特許文献１】特開２０１０−１１８７０７号公報
【発明の概要】
【発明が解決しようとする課題】
【０００６】
例えば、液晶表示パネル用ガラス基板においては、一般的に、洗浄液による洗浄が実行されている。しかしながら、太陽電池モジュールにおいては、上述したように、バックシートに電極取出用の開口部が形成されている。このバックシートは、発電層に対して受光面とは逆側に配置され、透光板と発電層とを支持する機能を有する。そして、発電層とバックシートとの間には電極が配設されており、この電極は、バックシートに形成された開口部から外部に取り出される。また、バックシートの代わりにガラスを用いたバックガラスが用いられる場合もある。なお、この明細書においては、これらを総称して「バックシート」という。
【０００７】
このような構成を有する太陽電池モジュールを、液晶表示パネル用ガラス基板と同様に洗浄液を使用して洗浄した場合には、開口部を介して電極や発電層部分に洗浄液が浸入し、発電機能を阻害するという問題が生ずる。
【０００８】
この発明は上記課題を解決するためになされたものであり、電極取出用の開口部を有する太陽電池モジュールの透光板を効果的に洗浄することが可能な太陽電池モジュール洗浄装置を提供することを目的とする。
【課題を解決するための手段】
【０００９】
請求項１に記載の発明は、受光面側の透光板と、発電層と、電極取出用の開口部が形成されたバックシートとがこの順に積層された太陽電池モジュールの透光板を洗浄する太陽電池モジュール洗浄装置であって、前記太陽電池モジュールを搬送する搬送機構と、前記太陽電池モジュールにおける前記搬送機構による太陽電池モジュールの搬送方向と直交する方向の幅以上の幅を有する長尺の拭き取りシートと、この拭き取りシートを前記搬送機構により搬送される太陽電池モジュールにおける透光板の表面に押圧する押圧ローラとを備えた拭き取り部と、前記拭き取りシートが前記太陽電池モジュールの透光板の表面に当接する前に、前記拭き取りシートに洗浄液を供給する洗浄液供給部とを備えたことを特徴とする。
【００１０】
請求項２に記載の発明は、請求項１に記載の発明において、前記拭き取り部に対して前記搬送機構による太陽電池モジュールの搬送方向の上流側に、前記太陽電池モジュールにおける透光板の表面に紫外線を照射して有機物を除去する紫外線照射部を備える。
【００１１】
請求項３に記載の発明は、受光面側の透光板と、発電層と、電極取出用の開口部が形成されたバックシートとがこの順に積層された太陽電池モジュールの透光板を洗浄する太陽電池モジュール洗浄装置であって、前記太陽電池モジュールを搬送する搬送機構と、前記太陽電池モジュールにおける前記搬送機構による太陽電池モジュールの搬送方向と直交する方向の幅以上の幅を有する長尺の拭き取りシートと、この拭き取りシートを前記搬送機構により搬送される太陽電池モジュールにおける透光板の表面に押圧する押圧ローラとを備えた第１拭き取り部と、前記第１拭き取り部における拭き取りシートが前記太陽電池モジュールの透光板の表面に当接する前に、前記拭き取りシートに有機物を除去するための薬液を供給する洗浄液供給部と、前記第１拭き取り部に対して前記搬送機構による太陽電池モジュールの搬送方向の下流側に配設され、前記太陽電池モジュールにおける前記搬送機構による太陽電池モジュールの搬送方向と直交する方向の幅以上の幅を有する長尺の拭き取りシートと、この拭き取りシートを前記搬送機構により搬送される太陽電池モジュールにおける透光板の表面に押圧する押圧ローラとを備えた第２拭き取り部と、前記第２拭き取り部における拭き取りシートが前記太陽電池モジュールの透光板の表面に当接する前に、前記拭き取りシートに薬液を供給する薬液供給部とを備えたことを特徴とする。
【００１２】
請求項４に記載の発明は、請求項１から請求項３のいずれかに記載の発明において、前記拭き取りシートは、無端状である。
【００１３】
請求項５に記載の発明は、請求項４に記載の発明において、前記洗浄液供給部は、前記拭き取りシートに洗浄液を噴出する処理液噴出ノズルと、前記処理液噴出ノズルにより洗浄液を供給された拭き取りシートを絞る絞りローラとを備える。
【発明の効果】
【００１４】
請求項１に記載の発明によれば、電極取出用の開口部を有する太陽電池モジュールの透光板を、洗浄液が供給された拭き取りシートを使用して効果的に洗浄することが可能となる。
【００１５】
請求項２に記載の発明によれば、太陽電池モジュールの透光板に対して紫外線を照射して有機物を除去した後に、洗浄液が供給された拭き取りシートにより洗浄することが可能となる。
【００１６】
請求項３に記載の発明によれば、電極取出用の開口部を有する太陽電池モジュールの透光板に対して、有機物を除去するための薬液を利用して有機物除去を実行した後に、洗浄液が供給された拭き取りシートを使用して効果的に洗浄することが可能となる。
【００１７】
請求項４に記載の発明によれば、拭き取りシートを効率的に使用して、太陽電池モジュールの透光板を洗浄することが可能となる。
【００１８】
請求項５に記載の発明によれば、拭き取りシートに効果的に洗浄液を供給することが可能となる。
【図面の簡単な説明】
【００１９】
【図１】太陽電池モジュール１００の部分断面図である。
【図２】太陽電池モジュール１００をバックシート１０３側から見た平面図である。
【図３】この発明の第１実施形態に係る太陽電池モジュール洗浄装置の概要図である。
【図４】この発明の第２実施形態に係る太陽電池モジュール洗浄装置の概要図である。
【発明を実施するための形態】
【００２０】
以下、この発明の実施の形態を図面に基づいて説明する。最初に、太陽電池モジュールの構成について説明する。図１は、太陽電池モジュール１００の部分断面図であり、図２は、太陽電池モジュール１００をバックシート１０３側から見た平面図である。
【００２１】
この太陽電池モジュール１００は、受光面側の透光板１０１と、発電層１０２と、バックシート１０３とがこの順に積層された構成を有する。バックシート１０３には、電極取出用の開口部１０４が形成されている。発電層１０２とバックシート１０３との間には図示を省略した電極が配設されており、この電極は、バックシート１０３に形成された開口部１０４から外部に取り出される。
【００２２】
次に、この発明に係る太陽電池モジュール洗浄装置の構成について説明する。図３は、この発明の第１実施形態に係る太陽電池モジュール洗浄装置の概要図である。
【００２３】
この太陽電池モジュール洗浄装置は、太陽電池モジュール１００を搬送するための搬送ローラ６と、紫外線照射部３と、拭き取り部１と、洗浄液供給部２とを備える。
【００２４】
紫外線照射部３は、拭き取り部１に対して搬送ローラ６による太陽電池モジュール１００の搬送方向の上流側に配設される。この紫外線照射部３は、搬送ローラ６により搬送される太陽電池モジュール１００における透光板１０１の表面に紫外線を照射して有機物を除去するための紫外線照射ランプ３１を備える。
【００２５】
また、拭き取り部１は、拭き取りシート１５と、一対の押圧ローラ１２、１３と、複数のテンションローラ１１とを備える。拭き取りシート１５は、太陽電池モジュール１００における透光板１０１の表面に当接してこの透光板１０１を拭き取るためのものであり、搬送ローラ６による太陽電池モジュール１００の搬送方向と直交する方向の幅以上の幅を有する長尺無端状の形状を有する。一対の押圧ローラ１２、１３は、例えばスポンジ等の軟質の材料から構成され、拭き取りシート１５を搬送ローラ６により搬送される太陽電池モジュール１００における透光板１０１の表面に押圧するためのものである。テンションローラ１１は、拭き取りシート１５にテンションをかけるとともに、図示しないモータの駆動をうけて回転することにより、拭き取りシート１５を図３に示す矢印方向に移動させるためのものである。
【００２６】
さらに、洗浄液供給部２は、拭き取りシート１５が太陽電池モジュール１００の透光板１０１の表面に当接する前に、拭き取りシート１５に洗浄液を供給する一対の洗浄液吐出ノズル２１と、拭き取りシート１５を絞るための一対のニップローラ２２とを備える。この洗浄液供給部２においては、拭き取りシート１５を洗浄液で洗い流すとともに、拭き取りシート１５に適量の洗浄液を含ませた状態とする。なお、洗浄液としては、例えば、水が使用される。
【００２７】
以上のような構成を有する太陽電池モジュール洗浄装置においては、太陽電池モジュール１００が搬送ローラ６により搬送される。そして、この太陽電池モジュール１００には、最初に、紫外線照射部３において紫外線ランプ３１から紫外線が照射される。この紫外線により、太陽電池モジュール１００における透光板１０１の表面に存在する有機物が除去され、透光板１０１の表面の改質が行われる。
【００２８】
次に、太陽電池モジュール１００は、拭き取り部１に搬送される。拭き取り部１においては、搬送ローラ６により搬送される太陽電池モジュール１００における透光板１０１の表面に、一対の押圧ローラ１２、１３の作用により拭き取りシート１５が押圧され、太陽電池モジュール１００における透光板１０１の表面がこの拭き取りシート１５により拭き取られる。この拭き取りシート１５に対しては、洗浄液供給部２において洗浄液が供給されていることから、透光板１０１の表面を十分に洗浄することができる。
【００２９】
また、この実施形態においては、透光板１０１の表面に対し、最初に、押圧ローラ１３の作用により一度洗浄に使用された拭き取りシート１５が押圧されて拭き取りが行われ、しかる後、押圧ローラ１２の作用により清浄な拭き取りシート１５が押圧されて拭き取りが行われることから、同一の拭き取りシート１５を利用して、より効率的に太陽電池モジュール１００の洗浄を実行することが可能となる。
【００３０】
また、この実施形態においては、複数のテンションローラ１１のうちの一つは、一対の押圧ローラ１２、１３の間において、拭き取りシート１５を下方から上方に向けて付勢することにより、拭き取りシート１５に対してテンションを付与するように配設されている。このように、テンションローラ１１を配設することで、拭き取りシート１５にテンションをかけ、透光板１０１を確実に拭き取ることができる。
【００３１】
次に、この発明に係る太陽電池モジュール洗浄装置の他の実施形態について説明する。図４は、この発明の第２実施形態に係る太陽電池モジュール洗浄装置の概要図である。なお、上述した第１実施形態と同一の部材については、同一の符号を付して詳細な説明を省略する。
【００３２】
この太陽電池モジュール洗浄装置は、第１実施形態における紫外線照射部３のかわりに、太陽電池モジュール１００から有機物を除去するための拭き取り部４と、この拭き取り部４に対して有機物を除去するための薬液を供給する薬液供給部５とを使用したものである。
【００３３】
この拭き取り部４は、図３に示す拭き取り部１と同様の構成を有するものであり、拭き取りシート４５と、一対の押圧ローラ４２、４３と、複数のテンションローラ４１とを備える。拭き取りシート４５は、太陽電池モジュール１００における透光板１０１の表面に当接して、この透光板１０１を、有機物を除去するための薬液を利用して拭き取るためのものであり、搬送ローラ６による太陽電池モジュール１００の搬送方向と直交する方向の幅以上の幅を有する長尺無端状の形状を有する。一対の押圧ローラ４２、４３は、例えばスポンジ等の軟質の材料から構成され、拭き取りシート４５を搬送ローラ６により搬送される太陽電池モジュール１００における透光板１０１の表面に押圧するためのものである。テンションローラ４１は、拭き取りシート４５にテンションをかけるとともに、図示しないモータの駆動をうけて回転することにより、拭き取りシート４５を図４に示す矢印方向に移動させるためのものである。
【００３４】
薬液供給部５は、拭き取りシート４５が太陽電池モジュール１００の透光板１０１の表面に当接する前に、拭き取りシート４５に有機物を除去するための薬液を供給する一対の薬液吐出ノズル５１と、拭き取りシート４５を絞るための一対のニップローラ５２とを備える。この薬液供給部５においては、拭き取りシート４５を薬液で洗い流すとともに、拭き取りシート４５に適量の薬液を含ませた状態とする。なお、薬液としては、例えば、アルカリ洗剤が使用される。
【００３５】
この第２実施形態に係る太陽電池モジュール洗浄装置においては、太陽電池モジュール１００が搬送ローラ６により搬送される。そして、この太陽電池モジュール１００は、最初に、拭き取り部４に搬送される。拭き取り部４においては、搬送ローラ６により搬送される太陽電池モジュール１００における透光板１０１の表面に、一対の押圧ローラ４２、４３の作用により拭き取りシート４５が押圧され、太陽電池モジュール１００における透光板１０１の表面がこの拭き取りシート４５により拭き取られる。この拭き取りシート４５に対しては、薬液供給部５において有機物を除去するための薬液が供給されていることから、太陽電池モジュール１００における透光板１０１の表面に存在する有機物が除去され、透光板１０１の表面の改質が行われる。
【００３６】
次に、太陽電池モジュール１００は、拭き取り部１に搬送される。拭き取り部１においては、上述した第１実施形態と同様、搬送ローラ６により搬送される太陽電池モジュール１００における透光板１０１の表面に、一対の押圧ローラ１２、１３の作用により拭き取りシート１５が押圧され、太陽電池モジュール１００における透光板１０１の表面がこの拭き取りシート１５により拭き取られる。この拭き取りシート１５に対しては、洗浄液供給部２において洗浄液が供給されていることから、透光板１０１の表面を十分に洗浄することができる。
【符号の説明】
【００３７】
１        拭き取り部
２        洗浄液供給部
３        紫外線照射部
４        拭き取り部
５        薬液供給部
６        搬送ローラ
１１      テンションローラ
１２      押圧ローラ
１３      押圧ローラ
１５      拭き取りシート
２１      洗浄液吐出ノズル
２２      ニップローラ
３１      紫外線照射ランプ
４１      テンションローラ
４２      押圧ローラ
４３      押圧ローラ
４５      拭き取りシート
５１      洗浄液吐出ノズル
１００    太陽電池モジュール
１０１    透光板
１０２    発電層
１０３    バックシート
１０４    開口部
【図１】
2013191812.tif 000003
【図２】
2013191812.tif 000004
【図３】
2013191812.tif 000005
【図４】
2013191812.tif 000006